(57)【特許請求の範囲】
【請求項１】
開口部を有する箱形の貯蔵庫本体と、
前記貯蔵庫本体に取り付けられ、前記開口部を仕切る長手状の仕切枠と、を備え、
前記仕切枠は、
前記仕切枠の外周面を構成する長手状の外郭体と、
前記外郭体の内部に配される長手状の断熱材と、
前記外郭体を構成する庫外側の壁部と前記断熱材の間に配されるヒータと、を備え、
さらに、前記仕切枠は、長手方向の両端部において、前記貯蔵庫本体における前記開口部の内周面にそれぞれ取り付けられており、
前記仕切枠における長手方向の端面と前記内周面との間には隙間が設けられ、
前記外郭体を構成する庫内側の壁部における長手方向の端部には、前記隙間を庫内側から塞ぐ形でシール材が設けられている冷却貯蔵庫。
【請求項２】
前記開口部の前記内周面における庫外側の端部には、庫内側に比べて庫外側が低い段差部が設けられ、
前記外郭体の長手方向における端部には、前記段差部に嵌合する突部が設けられている請求項１に記載の冷却貯蔵庫。
【発明の詳細な説明】
【技術分野】
【０００１】
本発明は、冷却貯蔵庫に関する。
【背景技術】
【０００２】
従来、冷却貯蔵庫において、貯蔵庫本体が開口部を有する箱形に形成され、この貯蔵庫本体の開口部における対向した内周面の間に長手状の仕切枠を配することにより開口部が仕切られる構成のものが知られている（下記特許文献１）。
【先行技術文献】
【特許文献】
【０００３】
【特許文献１】特開平８−３５７６４号公報
【発明の概要】
【発明が解決しようとする課題】
【０００４】
上記構成において、庫内の冷気によって仕切枠における庫外側の壁部の温度が低下すると、庫外との温度差によって結露が生じる事態が懸念される。このような事態を抑制するために、仕切枠における庫外側の壁部の裏面にヒータを配置する構成が知られている。しかしながら、庫外側の壁部における長手方向の端部には、貯蔵庫本体に対する取付部材などが配されることから、ヒータを配置することが難しい。このため、庫外側の壁部における長手方向の端部では、温度の低下が起こり易く、結露が生じやすいという問題点がある。
【０００５】
本発明は上記のような事情に基づいて完成されたものであって、仕切枠における結露の発生を抑制することが可能な冷却貯蔵庫を提供することを目的とする。
【課題を解決するための手段】
【０００６】
上記課題を解決するために、本発明は、開口部を有する箱形の貯蔵庫本体と、前記貯蔵庫本体に取り付けられ、前記開口部を仕切る長手状の仕切枠と、を備え、前記仕切枠は、前記仕切枠の外周面を構成する長手状の外郭体と、前記外郭体の内部に配される長手状の断熱材と、前記外郭体を構成する庫外側の壁部と前記断熱材の間に配されるヒータと、を備え、さらに、前記仕切枠は、長手方向の両端部において、前記貯蔵庫本体における前記開口部の内周面にそれぞれ取り付けられており、前記仕切枠における長手方向の端面と前記内周面との間には隙間が設けられ、前記外郭体を構成する庫内側の壁部における長手方向の端部には、前記隙間を庫内側から塞ぐ形でシール材が設けられていることに特徴を有する。
【０００７】
上記構成では、仕切枠における長手方向の端面と内周面との間に隙間が設けられており、その隙間は、シール材によって庫内側から塞がれている。これにより、ヒータによって暖められた仕切枠内部の空気が隙間を通じて庫内に流れる事態を抑制することができる。つまり、ヒータによって暖められた空気が当該隙間に留まり易くなり、この隙間を断熱空間として機能させることができる。このように、外郭体を構成する庫外側の壁部における長手方向の端部と庫内との間に断熱空間（隙間）を形成することで、外郭体における庫外側の壁部のうち長手方向の端部が、庫内の冷気によって冷やされる事態を抑制することができ、結露の発生を抑制することができる。また、シール材を設けることで、ヒータによって暖められた仕切枠内部の空気が隙間を通じて庫内に流れる事態を抑制することができ、庫内の温度上昇を抑制することができる。
【０００８】
上記構成において、前記開口部の内周面における庫外側の端部には、庫内側に比べて庫外側が低い段差部が設けられ、前記外郭体の長手方向における端部には、前記段差部に嵌合する突部が設けられているものとすることができる。このような構成とすれば、外郭体と開口部の内周面の間の隙間（仕切枠における長手方向の端面と内周面との間の隙間の一部）を段差状にすることができる。この結果、ヒータによって暖められた仕切枠内部の空気が当該隙間を通じて庫外に流れる事態を抑制でき、外郭体の温度低下を抑制することができる。
【発明の効果】
【０００９】
本発明によれば、仕切枠における結露の発生を抑制することが可能な冷却貯蔵庫を提供することができる。
【図面の簡単な説明】
【００１０】
【図１】本発明の一実施形態に係る冷却貯蔵庫の正面図
【図２】貯蔵庫本体を構成する断熱箱体を示す斜視図
【図３】図２の仕切枠の下端部を示す拡大図
【図４】仕切枠を示す分解図
【図５】図２の断熱箱体を示す断面図（図２のＶ−Ｖで切断した図に対応）
【図６】図５の仕切枠を拡大して示す断面図
【図７】仕切枠の下端部を示す断面図（図６のＶＩＩ−ＶＩＩで切断した図に対応）
【図８】仕切枠の下端部を示す断面図（図６のＶＩＩＩ−ＶＩＩＩで切断した図に対応）
【図９】仕切枠を構成するカバーを示す正面図（庫外側から視た図）
【図１０】接続枠及び仕切枠を示す平面図
【発明を実施するための形態】
【００１１】
本発明の一実施形態を図１から図１０によって説明する。本実施形態では、図１に示すように、冷却貯蔵庫として、２ドア式の横型（テーブル型）冷蔵庫を例示する。本実施形態の冷却貯蔵庫１０は、図１に示すように、横に長い箱形の貯蔵庫本体１３を備える。貯蔵庫本体１３は、ステンレス鋼板等の金属板を主体として構成されており、貯蔵室１５と機械室２０とを有している。
【００１２】
機械室２０は、貯蔵室１５の側方（左側）に設けられ、縦長の箱体によって構成されている。機械室２０は、圧縮機２１、凝縮器２２等からなる冷凍装置２３が収納される収納スペース２４と、冷却器２５と冷却ファン２６が収納される冷却器室２７とを有している。冷却器室２７は、隣り合う貯蔵室１５と連通されている。これにより、冷凍装置２３及び冷却ファン２６が駆動されることで、貯蔵室１５内の空気が冷却器室２７に吸引され、冷却器２５を流通して冷気に変換されたのち、冷却ファン２６から貯蔵室１５に吹き出されるように循環供給され、貯蔵室１５内が冷却される。
【００１３】
貯蔵室１５は、図１及び図２に示すように、前面が開口された開口部３０を有しており、その開口部３０が観音開き式の一対の断熱扉１６，１６によって開閉可能な構成となっている。冷却器室２７と貯蔵室１５は、断熱箱体１３Ａによって構成されている。断熱箱体１３Ａは、図８に示すように、ステンレス鋼板等の金属板からなる外箱１１内に内箱１２が間隔を開けて収容され、両箱１１，１２の間の空間内に発泡ウレタン等の発泡樹脂からなる断熱材１４を発泡充填することによって構成されている。
【００１４】
図２及び図８に示すように、開口部３０の内周面のうち、上側の内周面３１及び下側の内周面３１に対応する部分では、外箱１１と内箱１２の開口縁に、それぞれＬ字状をなすフランジ１１Ａ，１２Ａが形成されている。フランジ１１Ａ，１２Ａは、所定間隔を開けて対向状に配されており、フランジ１１Ａ，１２Ａの間に合成樹脂製の接続枠３２（ジョイナ）が嵌合されている。接続枠３２は、左右方向に長い長手状をなし、例えば、合成樹脂材の押出成形によって形成されている。
【００１５】
接続枠３２は、図８に示すように、フランジ１１Ａ，１２Ａの上面に当接する板状の接続枠本体部３３と、一対の爪部３４，３４を有する取付部３５と、を有している。爪部３４，３４は、フランジ１１Ａ，１２Ａの先端部に対して、それぞれ弾性的に係止する構成となっている。これにより、接続枠３２が外箱１１及び内箱１２に対して固定されている。接続枠本体部３３は、その表面において内周面３１を構成するものとされる。接続枠本体部３３において長手方向の中央部には、図１０に示すように、仕切枠４０を構成する前面枠５０の突部５４（詳しくは後述）が嵌合する切欠部３６と、前面枠５０をねじ止めするための挿通孔３３Ａ，３３Ａが形成されている。なお、図１０は、平面視であり、接続枠３２においては開口部３０の下側の内周面３１を構成するものが図示されており、前面枠５０においては上端側の突部５４が図示されている。
【００１６】
開口部３０における左右方向の中央部には、図２に示すように、上下方向に長い長手状の仕切枠４０（センターピラー）が上下の内周面３１，３１の間に渡される形で配されている。これにより、開口部３０は、仕切枠４０によって左右２つに仕切られている（図５も参照）。一対の断熱扉１６，１６は、左右に仕切られた開口の各々を覆う形で設けられている。断熱扉１６の裏面側の周縁には、図６に示すように、マグネット１６Ａが埋設されたパッキン１６Ｂが嵌着され、閉扉時には、パッキン１６Ｂが開口部３０の開口縁部に吸着されてシールされるようになっている。なお、断熱扉１６の開閉端部（隣接する断熱扉１６側の端部）においては、パッキン１６Ｂが仕切枠４０の表面に当接する構成となっている。また、一対の断熱扉１６，１６は左右方向において、所定の隙間を空けて配されている。このため、一対の断熱扉１６，１６を閉じた状態では、仕切枠４０が正面側に露出する構成となっている（図１参照）。
【００１７】
仕切枠４０は、図４に示すように、仕切枠４０の庫外側の面を構成する長手状の前面枠５０（庫外側構成部材）と、前面枠５０に対して庫内側に配される長手状のカバー７０（庫内側構成部材）と、前面枠５０とカバー７０の間に配される長手状の断熱材４１と、前面枠５０における庫内側の面に配されるコードヒータ４２（図６参照）と、を備えている。前面枠５０及びカバー７０によって、仕切枠４０の外周面を構成する長手状の外郭体４３が構成されており、断熱材４１は、外郭体４３の内部に配されている。断熱材４１は、例えば、発泡ウレタン等の発泡樹脂製であり、直方体形状をなしている。なお、断熱材４１は、柔軟性を備えており、他部品（例えば、コードヒータ４２）との接触部分においては、他部品の形状に倣って変形することが可能となっている。
【００１８】
仕切枠４０（より具体的には前面枠５０）は、図２に示すように、その上端部において上側の内周面３１に取り付けられ、その下端部において下側の内周面３１に取り付けられている。つまり、前面枠５０は、長手方向の両端部において、開口部３０の内周面３１，３１にそれぞれ取り付けられている。なお、仕切枠４０は上下対称な形状をなしており、仕切枠４０における上端部及び下端部の構成は同じ構成となっている。また、上側の内周面３１及び下側の内周面３１も上下対称であること以外は、同じ構成となっている。このため、以下の説明では、内周面３１に対する前面枠５０の取付構造については、基本的には前面枠５０の下端部を例示して説明する。
【００１９】
前面枠５０は、例えば、ステンレス鋼板等の磁性金属板をプレス成形して形成されており、図６に示すように、庫外側の面を構成する長手状の前壁部５１と、前壁部５１における幅方向の両端から、それぞれ庫内側に延びる一対の側壁部５２，５２と、を備えている。側壁部５２は、前壁部５１に対して直角をなすように屈曲されている。これにより、前面枠５０は、庫内側に開口された断面視コの字状をなしている。
【００２０】
側壁部５２の長手方向における両端部（上端部及び下端部）には、図７に示すように、側壁部５２に対して直角に屈曲された第１取付片５３がそれぞれ形成されている。第１取付片５３は、前面枠５０の内側に向かう形で延びている。第１取付片５３には、ねじ止め用の挿通孔５３Ａが形成されている。図４及び図８に示すように、前壁部５１の長手方向における両端部には、断面視において前壁部５１の中央側（図８では上側）に開口されたコの字状をなす突部５４がそれぞれ形成されている。突部５４は、前面枠５０を構成する板部材の周端部を前壁部５１に対して折り返すことで形成されており、前壁部５１の幅方向の全長に亘って延びる形で設けられている（図１０参照）。
【００２１】
突部５４は、前壁部５１の長手方向における端部から対向する内周面３１に向けて突出されており、接続枠本体部３３において突部５４に対応する箇所には、庫外側（図１０の下側）に開口する切欠部３６が形成されている。これにより、内周面３１における庫外側の端部においては、図８に示すように、切欠部３６を通じて外箱１１のフランジ１１Ａの表面（図８では上面）が露出する構成となっている。これにより、フランジ１１Ａの表面１１Ｄと接続枠本体部３３の表面３３Ｄによって、庫内側に比べて庫外側が低い段差部３７が形成されている。切欠部３６は、図１０に示すように、突部５４の形状に倣う直方体形状をなしている。これにより、突部５４は段差部３７に嵌合可能な構成となっている。
【００２２】
断面視コの字状をなす突部５４を構成する壁部のうち、庫内側の壁部における延設端（図８では上端）には、図８に示すように、庫内側に延びる第２取付片５５が形成されている。第２取付片５５は、図７に示すように、一対の側壁部５２，５２の端部に設けられた一対の第１取付片５３，５３に対して前面枠５０の内側（図７では上側）から重なる形で配されている。また、第２取付片５５には、ねじ止め用の挿通孔５５Ａが第１取付片５３の挿通孔５３Ａと重なる形で形成されている。また、フランジ１１Ａには、ねじ止め用の取付孔１１Ｂが形成されている。前面枠５０を固定するためのねじ２８は、図７に示すように、第２取付片５５の挿通孔５５Ａ、第１取付片５３の挿通孔５３Ａ、接続枠本体部３３の挿通孔３３Ａに挿通された後、フランジ１１Ａの取付孔１１Ｂに取り付けられている。これにより、前面枠５０が内周面３１（貯蔵庫本体１１）に対してねじ止めされている。
【００２３】
カバー７０は、例えば、合成樹脂製とされ、図４及び図６に示すように、断熱材４１を庫内側から覆う長手状の後壁部７１と、後壁部７１における幅方向の両端から、それぞれ庫外側に延びる一対の側壁部７２，７２と、を備えている。側壁部７２は、後壁部７１に対して直角をなすように屈曲されている。これにより、カバー７０は、庫外側に開口された断面視コの字状をなしている。後壁部７１は、仕切枠４０の庫内側の面を構成するもので、その庫外側の面には、断熱材４１の位置決めをするための複数のリブ７１Ａ、リブ７１Ｂが形成されている。図９に示すように、リブ７１Ａは縦方向に延びており、リブ７１Ｂは、リブ７１Ａと直交する形で横方向に延びている。リブ７１Ｂにおける横方向の端部は、側壁部７２と連結されている。また、カバー７０の後壁部７１には、図示しない棚網を取り付けるための棚柱７３（図６参照）が取り付けられている。
【００２４】
本実施形態では、図６に示すように、前面枠５０の側壁部５２が直方体形状をなす断熱材４１の側面４１Ａを覆うものとされ、カバー７０の側壁部７２が側壁部５２を外側から覆うものとされる。つまり、側壁部７２は、断熱材４１の側面４１Ａを覆うものとされる。また、カバー７０の側壁部７２の内面には、突部７２Ａが形成されている。前面枠５０の側壁部５２には、突部７２Ａが挿通される取付孔５２Ａが形成されている。取付孔５２Ａに突部７２Ａが挿通されることで、前面枠５０に対してカバー７０が固定される構成となっている。
【００２５】
突部７２Ａにおける庫外側の面は、庫外側に向かうにつれて外側に向かう傾斜面７２Ｂとされる。これにより、前面枠５０に対してカバー７０を庫内側から取り付ける際には、傾斜面７２Ｂが前面枠５０の側壁部５２に摺動することで、一対の側壁部７２，７２が開くように弾性変形し、その後、取付孔５２Ａに突部７２Ａが挿通されることで、一対の側壁部７２，７２が弾性復帰する結果、取付孔５２Ａに突部７２Ａが係止する構成となっている。
【００２６】
コードヒータ４２（ヒータ）は、図８に示すように、前面枠５０の前壁部５１において庫外側の面に配されている。言い換えるとコードヒータ４２は、前壁部５１（外郭体を構成する庫外側の壁部）と断熱材４１の間に配されている。コードヒータ４２は、機械室２０に配された電力供給部（図示せず）に接続されており、電力が供給されることで発熱する構成となっている。なお、コードヒータ４２は、前面枠５０の長手方向に沿って延びる形で配されているものの、前面枠５０の両端部（突部５４の内部を含む）には配されていない。なお、図８に示すように、前面枠５０の両端部においては、例えば、断熱材４１と前壁部５１の間に隙間Ｓ２が設けられている。これにより、コードヒータ４２の熱が断熱材４１によって遮断されることなく、前面枠５０における長手方向の両端部を暖め易くすることができる。また、コードヒータ４２の熱は、前面枠５０において前壁部５１、突部５４、第２取付片５５の順で伝熱される。これによっても前面枠５０における長手方向の両端部が暖められる。そして、突部５４、第２取付片５５が暖められることで後述する隙間Ｓ１内の空気が暖められる。
【００２７】
本実施形態では、上述したように一対の第１取付片５３，５３及び第２取付片５５によって、前面枠５０が内周面３１に固定されている。そして、仕切枠４０における長手方向の端面と内周面３１との間には、第１取付片５３の板厚の分だけ隙間Ｓ１（例えば１〜２ｍｍ）が形成されている（図７、図８参照）。
【００２８】
なお、仕切枠４０における長手方向の端面（隙間Ｓ１を形成する端面）には、前面枠５０の長手方向における端面（第１取付片５３の裏面を除いた部分）と、断熱材４１における長手方向の端面と、カバー７０における長手方向の端面とが含まれる。また、内周面３１には、接続枠本体部３３の表面と、フランジ１１Ａにおいて切欠部３６に対応する箇所の表面（段差部３７の表面）とが含まれる。本実施形態では、内周面３１における段差部３７に前面枠５０の突部５４が嵌合されている。このため、隙間Ｓ１は、図８に示す側面視において、カバー７０から第２取付片５５までの範囲では、水平方向に沿って直線状に延びる形状をなすと共に、段差部３７に対応する部分では、段差部３７の形状に倣う段差状をなすものとされる。
【００２９】
本実施形態では、カバー７０の長手方向における端部と接続枠３２との間にコーキング材が塗布されている。より具体的には、図８に示すように、カバー７０の後壁部７１（外郭体を構成する庫内側の壁部）における長手方向の端部と接続枠本体部３３の表面（図８では上面）の間の隙間を塞ぐ形でコーキング材８１が設けられている。また、図７に示すように、カバー７０の側壁部７２の端部と接続枠本体部３３の表面の間の隙間を塞ぐ形でコーキング材８２が設けられている。つまり、コーキング材８１（シール材）と、一対のコーキング材８２，８２によって、庫外側に開口するコの字状のコーキング材が形成されている（図３参照）。なお、図７、図８では、カバー７０の長手方向における下端部におけるコーキング材８１，８２を図示しているが、カバー７０の長手方向における上端部においても同じようにコーキング材８１，８２が塗布されている。
【００３０】
これにより、仕切枠４０と内周面３１との間の隙間Ｓ１は、コーキング材８１によって、庫内側から塞がれており、コーキング材８２によって側方から塞がれている。なお、本実施形態では、前面枠５０の端部には、コーキング材が配されていない。言い換えると、隙間Ｓ１は、庫外側に開放されている。コーキング材８１，８２としては、例えば、シリコーン系やポリウレタン系の合成樹脂からなるものを例示することができるが、これに限定されない。
【００３１】
次に、本実施形態の効果について説明する。本実施形態によれば、仕切枠４０における長手方向の端面と内周面３１との間に隙間Ｓ１が設けられており、その隙間Ｓ１は、コーキング材８１，８２によって庫内側から塞がれている。これにより、コードヒータ４２によって暖められた仕切枠４０内部の空気が隙間Ｓ１を通じて庫内に流れる事態を抑制することができる。つまり、コードヒータ４２によって暖められた空気が当該隙間Ｓ１に留まり易くなり、この隙間Ｓ１を断熱空間として機能させることができる。このように、前面枠５０における長手方向の端部と庫内との間に断熱空間となる隙間Ｓ１を形成することで、前面枠５０における長手方向の端部（突部５４付近）が庫内の冷気によって冷やされる事態を抑制することができ、結露の発生を抑制することができる。また、コーキング材８１，８２を設けることで、コードヒータ４２によって暖められた仕切枠４０内部の空気が隙間Ｓ１を通じて庫内に流れる事態を抑制することができ、庫内の温度上昇を抑制することができる。また、庫内の冷気が隙間Ｓ１に流れ込む事態も抑制することができるので、隙間Ｓ１内の温度低下を抑制することができる。
【００３２】
また、開口部３０の内周面３１における庫外側の端部には、庫内側に比べて低い段差部３７が設けられ、前面枠５０の長手方向における端部には、段差部３７に嵌合する突部５４が設けられている。このような構成とすれば、前面枠５０と開口部３０の内周面３１との間の隙間Ｓ１を段差状にすることができる。この結果、隙間Ｓ１が庫内外方向の全長に亘って直線状をなす場合と比べて、隙間Ｓ１内を空気が流れ難くなり、コードヒータ４２によって暖められた仕切枠４０内部の空気が隙間Ｓ１から庫外に流れる事態を抑制でき、前面枠５０の温度低下を抑制することができる。
【００３３】
また、庫外の空気は庫内の空気と比べて温度が高いから、仕切枠４０内部の空気とは温度差が小さく、空気の流動が生じた場合であっても、結露の原因になり難い。このため、前面枠５０とフランジ部１１Ａの隙間（隙間Ｓ１の庫外側端部）は、コーキング材で塞ぐ必要性が低い。また、前面枠５０とフランジ部１１Ａの隙間にコーキング材を配すると正面からコーキング材が視えてしまい、意匠性が低下する。このため、本実施形態では、隙間Ｓ１の庫外側端部においては、コーキング材を配する代わりに、段差状にすることで空気の流れを抑制する構成となっている。また、段差部３７に突部５４を嵌合することで、内周面３１に対して前面枠５０を位置決めすることができ、組み付けに係る作業性が良好なものとなる。
【００３４】
また、前面枠５０の両端部は、突部５４やねじ２８が設けられるため、コードヒータ４２を配置することが難しい。このため、前面枠５０の両端部は、中央側に比べて温度が上がりにくい箇所となっている。本実施形態では、前面枠５０の温度低下を抑制することができるので、コードヒータ４２によって温め難い部分である前面枠５０の両端部において結露が生じる事態を抑制することができ、好適である。
【００３５】
また、本実施形態では、仕切枠４０と内周面３１との間に隙間Ｓ１を設けることで、前面枠５０と、内周面３１の接触面積を少なくすることができ、前面枠５０の熱が内周面３１側に伝わり難くなる。これにより、前面枠５０の温度低下を抑制することができる。
【００３６】
＜他の実施形態＞
本発明は上記記述及び図面によって説明した実施形態に限定されるものではなく、例えば次のような実施形態も本発明の技術的範囲に含まれる。
（１）上記実施形態では、シール材としてコーキング材を塗布する構成を例示したが、これに限定されない。シール材は、空気の流れを遮断するものであればよく、例えば、ゴム製のテープなどを用いてもよい。
（２）上記実施形態では、上下方向に長い仕切枠を例示したが、これに限定されない。例えば、左右方向に長い形状をなし、開口部３０を上下に仕切る仕切枠であってもよい。
（３）上記実施形態では、ヒータとしてコードヒータを例示したが、これに限定されない。ヒータとして例えばベルトヒータを用いてもよい。
（４）上記実施形態において、前面枠５０とフランジ部１１Ａの隙間にコーキング材が配されていてもよい。
（５）上記実施形態では、外郭体４３が２つの部品（前面枠５０及びカバー７０）によって分割構成されているものを例示したが、これに限定されない。外郭体は、１つの部品によって構成されていてもよいし、３つ以上の部品によって構成されていてもよい。
【符号の説明】
【００３７】
１０…冷却貯蔵庫、１３…貯蔵庫本体、３０…開口部、３１…内周面（貯蔵庫本体における開口部の内周面）、３７…段差部、４０…仕切枠、４１…断熱材、４１Ａ…断熱材の側面、４２…コードヒータ（ヒータ）、４３…外郭体、５０…前面枠（外郭体を構成する部材）、５１…前壁部（外郭体を構成する庫外側の壁部）、５４…段差部に嵌合する突部、７０…カバー（外郭体を構成する部材）、７１…後壁部（）、８１…コーキング材（シール材）Ｓ１…隙間（仕切枠における長手方向の端面と内周面との間の隙間）
【図１】
0006617072.tif 000002
【図２】
0006617072.tif 000003
【図３】
0006617072.tif 000004
【図４】
0006617072.tif 000005
【図５】
0006617072.tif 000006
【図６】
0006617072.tif 000007
【図７】
0006617072.tif 000008
【図８】
0006617072.tif 000009
【図９】
0006617072.tif 000010
【図１０】
0006617072.tif 000011